(57)【特許請求の範囲】
【請求項１】
補給水タンクからの流体及び純水タンクからの流体が独立して送られる減圧脱気手段を設け、
減圧脱気手段から動力機器に至るラインから分岐して補給水タンクにつながる補給ラインを設け、
補給水タンクの水量を導出する水量導出手段を備え、
補給水タンクの水量が所定量を下回ったときには純水タンクからの流体を水流導出手段と減圧脱気手段と補給ラインを経由して補給水タンクに供給する補給水供給手段を備えたことを特徴とする補給水供給装置。
【請求項２】
請求項１において、
減圧脱気手段は復水タービン設備の復水器であり、
補給水タンクからの流体が補給水ポンプにより復水器に送られ、
純水タンクからの流体が純水ポンプにより復水器に送られ、
補給水タンクへの補給ラインは復水器の水位が高くなったときに復水器からの復水を補給水タンクに戻して復水器の水位を所定状態に維持する復水器スピルオーバ制御手段である
ことを特徴とする補給水供給装置。
【発明の詳細な説明】
【０００１】
【発明の属する技術分野】
本発明は、減圧脱気手段、例えば、復水タービンプラントにおける復水器に補給水を供給するための補給水供給装置に関する。
【０００２】
【従来の技術】
例えば、復水器（減圧脱気手段）を備えた復水タービンプラントでは、起動前に汚れた水を系外にブローさせる。この場合、大量の水を系外に排出するため、復水器には補給水が供給されるようになっている。また、この補給水を貯蔵する補給水タンクが備えられている。そして、補給水タンクへは、純水タンクに溜められた純水が補給されるようになっている。
【０００３】
また、系外ブローの際の復水器への補給水を、補給水タンクからと純水タンクからと並行に行うこともあるが、この場合は、復水器への補給水は補給水タンク側及び純水タンク側とで分担される。いずれの方法でも、復水器には脱気していない大量の純水が流入するので、タービンプラント系統内には純水中に溶解した酸素が流入することが避けられない。
【０００４】
【発明が解決しようとする課題】
発電プラント等では、発電効率を維持しつつ構成機器等の小型化や簡略化を図り、各種設備費等を低減させて経済性を追求している。系外ブローの際に復水器への補給水の供給を行う場合にも、関連機器の低コスト化が要望されているのが現状である。
【０００５】
本発明は上記状況に鑑みてなされたもので、減圧脱気手段への補給水の供給を行う場合における関連機器の低コスト化を達成できる補給水供給装置を提供することを目的とする。
【０００６】
【課題を解決するための手段】
上記目的を達成するための本発明の補給水供給装置は、
補給水タンクからの流体及び純水タンクからの流体が独立して送られる減圧脱気
手段を設け、
減圧脱気手段から動力機器に至るラインから分岐して補給水タンクにつながる補給ラインを設け、
補給水タンクの水量を導出する水量導出手段を備え、
補給水タンクの水量が所定量を下回ったときには純水タンクからの流体を水流導出手段と減圧脱気手段と補給ラインを経由して補給水タンクに供給する補給水供給手段を備えたことを特徴とする。
【０００７】
そして、減圧脱気手段は復水タービン設備の復水器であり、補給水タンクからの流体が補給水ポンプにより復水器に送られ、純水タンクからの流体が純水ポンプにより復水器に送られ、補給水タンクへの補給ラインは復水器の水位が高くなったときに復水器からの復水を補給水タンクに戻して復水器の水位を所定状態に維持する復水器スピルオーバ制御手段であることを特徴とする。
【０００８】
【発明の実施の形態】
図１には本発明の一実施形態例に係る補給水供給装置の概略系統構成を示してある。
【０００９】
図に示すように、減圧脱気手段としての復水器１が備えられ、復水器１で復水された流体は、復水ポンプ２で昇圧されて復水処理装置３で浄化され、更に、復水ブースタポンプ４で昇圧されて供給ライン９から図示しない脱気器やボイラに送られる。
【００１０】
復水器１には補給水タンク５に溜められた水が補給水ライン６から給水されるようになっている。補給水ライン６には補給水ポンプ７及び補給水制御弁８が設けられ、復水器１に給水を行うときには補給水タンク５と復水器１の静水頭のみで補給できる場合は補給水制御弁８を開き、そうでない場合は補給水ポンプ７を駆動し補給を行う。補給水制御弁８を閉じた状態で、補給水ライン６からは図示しない脱気器やボイラに適宜給水が行われる。
【００１１】
また、復水器１には純水タンク１１に溜められた純水が純水ライン１２から給水されるようになっている。純水タンク１１には図示しない純水源から適宜純水が補給されている。純水ライン１２には純水ポンプ１３が設けられ、純水ライン１２は純水ポンプ１３の下流側で分岐して復水器１の他に各機器にも純水が送られるようになっている。純水ライン１２には純水制御弁１４が設けられ、復水器１に給水を行うときには純水制御弁１４を開いた状態で純水ポンプ１３を駆動する。
【００１２】
復水ブースタポンプ４の後流側の供給ライン９から分岐して補給水タンク５につながる戻しラインとしてのスピルオーバライン１６が設けられ、スピルオーバライン１６には流路の開閉を行う復水器スピルオーバ制御手段としてのスピルオーバ制御弁１７が設けられている。復水器１には水位を検出する水位検出手段１８が設けられ、水位検出手段１８により復水器１の水位が所定水位を超えたときに、制御手段１９を介してスピルオーバ制御弁１７が開かれるようになっている。つまり、復水器１の水位が所定水位を超えたときに、復水器１の復水を補給水タンク５に戻して復水器１の水位が所定状態に維持される。
【００１３】
一方、補給水タンク５には水量を導出する水量導出手段２１（例えば、水位検出手段）が設けられ、補給水タンク５の水量が所定量を下回ったときに、制御手段１９を介してスピルオーバ制御弁１７が開かれるようになっている。また、必要に応じて純水制御弁１４が開かれるようになっている。つまり、補給水タンク５の水量が減ったときには復水器１で脱気された復水（脱気水）がスピルオーバライン１６を通って補給水タンク５に補給されるようになっている。補給水タンク５には復水器１で復水された脱気水が補給されるため、補給水タンク５はルーフシールが施された構造となっている。
【００１４】
本実施形態例では、スピルオーバ制御弁１７を備えたスピルオーバライン１６で補給水タンク５の補給ラインが構成され、制御手段１９及び水量導出手段２１により補給水タンク５への補給水供給手段が構成されている。このため、復水器１の水位を所定状態に維持する常設の戻しラインを用いて補給水タンク５への補給が可能となり、設備コストを抑制することが可能になる。尚、復水器１の水位を所定状態に維持するためのスピルオーバライン１６等で補給水タンク５への補給水供給手段を構成したが、プラントの構成等により補給水タンク５への補給水供給手段を独立して設けることも可能である。
【００１５】
上記構成の補給水タンク５への補給水供給装置では、起動前に汚れた水を系外にブローさせる系外ブローが実施された後に、系外に排出された大量の水を補給するため、補給水タンク５及び純水タンク１１から復水器１に補給水が供給されるようになっている。このため、復水器１への補給水の供給２系統で分担させることにより、補給水タンク５、補給水ポンプ７、純水タンク１１及び純水ポンプ１３を小型化することができ、設備費を低減することが可能になる。
【００１６】
復水器１の水量が所定水位を超えると、水位が超えたことが水位検出手段１８により検出され、制御手段１９を介してスピルオーバ制御弁１７が開かれる。これにより、復水器１の復水が補給水タンク５に戻されて復水器１の水位が所定状態に維持される。
【００１７】
補給水タンク５の水量が水量導出手段２１により導出され、水量が所定量を下回ったことが導出された場合、制御手段１９を介してスピルオーバ制御弁１７が開かれる。これにより、補給水タンク５の水量が減ったときには復水器１で脱気された復水（脱気水）がスピルオーバライン１６を通って補給水タンク５に補給される。このとき、復水器１への補給水は補給水タンク５からではなく純水タンク１１から供給する。このため、補給水タンク５へは復水器１の下流側からのみ給水が行われて純水タンク１１からの補給水タンク５への純水の補給が不要になる。従って、純水タンク１１及び純水ポンプ１３は、補給水タンク５への補給を考慮する設計を必要とせず、純水ポンプ１３の容量を低減することが可能になり、純水タンク１１と補給水タンク５とをつなぐ附帯設備（配管や弁装置等）を削減することが可能になる。
【００１８】
尚、上述した実施形態例では、減圧脱気手段として復水器１を例に挙げて説明したが、補給水供給装置を適用する設備は、減圧脱気手段に補給を行う任意の設備に適用することが可能である。また、補給水タンク５に設けられた水量導出手段２１により補給水タンク５の水量が減ったことを導出する例を挙げて説明したが、間接的に補給水タンク５の水量を類推して水量が減ったことを導出する手段とすることも可能である。
【００１９】
従って、本発明の補給水供給装置は、補給水タンクからの流体が送られる減圧脱気手段を設け、減圧脱気手段から動力機器へのラインから分岐して補給水タンクにつながる補給ラインを設け、補給水タンクの水量を導出する水量導出手段を備え、補給水タンクの水量が所定量を下回ったときに減圧脱気手段からの流体を補給ラインから補給水タンクに供給すると共に純水タンクから減圧脱気手段への補給を行う補給水供給手段を備えたので、補給水タンクへの給水が減圧脱気されて補給される。この結果、通常運転中の補給水を供給する補給水タンク内の貯水の酸素濃度は低下するので、動力機器への酸素の流入が低減する。また、補給水タンクへの給水を純水タンクから補給する必要がなくなり、純水タンクからの補給設備を削減することができ、減圧脱気手段への給水を行う場合における関連機器の低コスト化を達成することが可能になる。
【００２０】
【発明の効果】
本発明の補給水供給装置は、補給水タンクからの流体及び純水タンクからの流体が独立して送られる減圧脱気手段を設け、減圧脱気手段から動力機器に至るラインから分岐して補給水タンクにつながる補給ラインを設け、補給水タンクの水量を導出する水量導出手段を備え、補給水タンクの水量が所定量を下回ったときには純水タンクからの流体を水流導出手段と減圧脱気手段と補給ラインを経由して補給水タンクに供給する補給水供給手段を備えたので、補給水タンクへの給水が減圧脱気された後に戻しラインから補給される。このとき、減圧脱気手段への補給水は補給水タンクからではなく純水タンクから供給する。この結果、補給水タンクへの給水を純水タンクから補給する必要がなくなり、既存の設備を最大限に生かして純水タンクやポンプ容量を低減することができ、減圧脱気手段への給水を行う場合における関連機器の低コスト化を達成することが可能になる。
【図面の簡単な説明】
【図１】本発明の一実施形態例に係る補給水供給装置の概略系統構成図。
【符号の説明】
１  復水器
２  復水ポンプ
３  復水処理装置
４  復水ブースタポンプ
５  補給水タンク
６  補給水ライン
７  補給水ポンプ
８  補給水制御弁
１１  純水タンク
１２  純水ライン
１３  純水ポンプ
１４  純水制御弁
１６  スピルオーバライン
１７  スピルオーバ制御弁
１８  水位検出手段
１９  制御手段
２１  水量導出手段
【図１】
0004625208.tif 000002